(57)【特許請求の範囲】
【請求項１】
側面形状が略Ｌ字状の本体と、その本体の垂直部の先端に形成されたクレビス部と、前記本体の水平部の先端に形成されたクレビス部と、前記本体の垂直部と水平部との交差部においてその本体と直交する方向の両側に延出するように形成された水平板状のがいし取付片とを一体に有して、送電線鉄塔にがいし装置を用いて送電線を張設するために用いられる４導体用固定ヨークにおいて、
前記本体の垂直部と水平部との交差部に前記がいし取付片の前記がいし装置と反対側の端部から前記本体の水平部の下辺まで延び、前記本体と直交する方向の両側に突出する垂直壁を設けるとともに、前記本体の垂直部の前記がいし装置側の端辺にその本体と直交する方向の両側に突出し、かつ、前記がいし取付片の前記がいし装置側の端部から前記垂直部の先端のクレビス部まで連続するリブと、前記本体の水平部の下端辺にその本体と直交する方向の両側に突出し、かつ、前記垂直壁の下端から前記水平部の先端のクレビス部まで連続するリブとを一体に形成したことを特徴とする４導体用固定ヨーク。
【発明の詳細な説明】
【０００１】
【発明の属する技術分野】
本発明は、４条の送電線をがいし装置を用いて送電線鉄塔に接続するために用いられる４導体用固定ヨークに関する。
【０００２】
【従来の技術】
図４は、従来の４導体用固定ヨーク（以下、「固定ヨーク」という。）１０を示したものであって、同図（ａ）は、送電線（図示省略）を送電線鉄塔（以下、「鉄塔」という。）に張設しているときの側面図、同図（ｂ）は、その平面図、同図（ｃ）は、同図（ａ）のＳ−Ｓ線断面図である。
【０００３】
この固定ヨーク１０は、鋳鉄製であり、その本体１０ａの側面形状は、底辺が長い略Ｌ字状を呈している（図４（ａ）参照）。そして、そのＬ字状の本体１０ａの垂直部１０ａ１と水平部１０ａ２の各端部には、送電線伸張方向に開口したクレビス部１１，１２がそれぞれ設けられていて、各クレビス部１１，１２には、平面形状が略三角形状のヨーク金具Ｙ1 ，Ｙ2 の頂点部分がそれぞれ取付けられるように構成されている。
【０００４】
上方に位置するヨーク金具Ｙ1 の底辺の両側には、上線２条の送電線（図示せず）が連結金具Ａ及びクランプＣ（図４（ａ）参照。図４（ｂ）では省略。）を介して取付けられ、また、下方に位置するヨーク金具Ｙ2 には、上方に位置するヨーク金具Ｙ1 の場合と同様にして、下線２条の送電線が取付けられるように構成されている。
【０００５】
図４（ａ），（ｂ）中、１３は、がいし取付片であって、Ｌ字状の本体１０ａの垂直部１０ａ１と水平部１０ａ２とが交差する位置(交差部)に、その本体１０ａと直交する方向の両側に突出するように、その本体１０ａと一体的に設けられている。そして、そのがいし取付片１３の両側には、連結金具を介してがいし装置Ｂ，Ｂの一端がそれぞれ取付けられるように構成されている。なお、図４（ａ），（ｂ）に示されるがいし装置Ｂ，Ｂの他端（図示の例では左端側）は、鉄塔に取付けられるように構成されている。
【０００６】
【発明が解決しようとする課題】
しかしながら、上記従来の固定ヨークは、図４に示されるように、本体の横断面形状が、Ｉ形ないしＨ形を呈しているので、質量が大きくなり、また、全体形状が複雑になる欠点があった。
【０００７】
特に、この固定ヨークの用いられる箇所は、鉄塔の上で高所作業により取付けられるので、可能な限り軽量化されたものが望まれていた。また、形状が複雑であると、鋳型も複雑となり、鋳造コストがかさむ欠点があった。
【０００８】
そこで、本発明は、上記要望及び上記欠点に鑑みてなされたものであって、その目的は、軽量化され、かつ、構造が簡素化された固定ヨークを提供することにある。
【０００９】
【課題を解決するための手段】
本発明は、上記目的を達成するために、側面形状が略Ｌ字状の本体と、その本体の垂直部の先端に形成されたクレビス部と、前記本体の水平部の先端に形成されたクレビス部と、前記本体の垂直部と水平部との交差部においてその本体と直交する方向の両側に延出するように形成された水平板状のがいし取付片とを一体に有して、送電線鉄塔にがいし装置を用いて送電線を張設するときに用いられる４導体用固定ヨークにおいて、（ａ）前記本体の垂直部と水平部との交差部に前記がいし取付片の前記がいし装置と反対側の端部から前記本体の水平部の下辺まで延び、前記本体と直交する方向の両側に突出する垂直壁を設けるとともに、（ｂ）前記本体の垂直部の前記がいし装置側の端辺にその本体と直交する方向の両側に突出し、かつ、前記がいし取付片の前記がいし装置側の端部から前記垂直部の先端のクレビス部まで連続するリブと、前記本体の水平部の下端辺にその本体と直交する方向の両側に突出し、かつ、前記垂直壁の下端から前記水平部の先端のクレビス部まで連続するリブとを一体に形成したことを特徴としている。
【００１０】
【発明の実施の形態】
以下、本発明の実施の形態を図面に基づいて説明する。図１は、一実施の形態に係る固定ヨークを示したものであって、同図（ａ）は、送電線を鉄塔に張設しているときの側面図、同図（ｂ）は、その平面図である。また、図２は、図１（ａ）の固定ヨークの左側から見た正面図、図３（ａ）は、図１（ａ）のＳ1 −Ｓ1 線断面図、同図（ｂ）は、図１（ａ）のＳ2 −Ｓ2 線断面図である。
【００１１】
固定ヨーク１は、鋳鉄製であり、その本体１ａの側面形状は、底辺が長い略Ｌ字状を呈している（図１（ａ）参照）。そして、そのＬ字状の本体１ａの垂直部１ａ１と水平部１ａ２の各端部には、送電線伸張方向に開口したクレビス部２，３がそれぞれ設けられていて、各クレビス部２，３には、上記図４（ａ），（ｂ）で示したと同様の平面形状が略三角形状のヨーク金具（図示せず）の頂点部分がそれぞれ取付けられるように構成されている。
【００１２】
上方のクレビス部２に連結される、上方に位置するヨーク金具（図示せず）の底辺の両側には、上線２条の送電線（図示せず）が連結金具及びクランプ（図４（ａ）参照）を介して取付けられ、また、下方に位置するクレビス部３に連結される、下方に位置するヨーク金具（図示せず）には、上方に位置するヨーク金具の場合と同様にして、下線２条の送電線が取付けられるように構成されている。
【００１３】
図１及び図２中、４は、がいし取付片であって、Ｌ字状の本体１ａの垂直部１ａ1 と水平部１ａ2 の交差部１ａ3 に、その本体１ａと直交する方向の両側に突出するように、その本体１ａと一体的に設けられている。そして、がいし取付片４の両側には、取付孔４ａ，４ｂがそれぞれ開口されている。取付孔４ａ，４ｂには、図４（ａ），（ｂ）に示される連結金具を介してがいし装置（図示せず）がそれぞれ取付けられるように構成されている（図４（ａ），（ｂ）参照）。なお、がいし取付片４の図１（ｂ）に示される取付孔４ａ，４ｂ以外の孔は、送電線を取付ける際に金車等の工具類が取付けられる孔である。
【００１４】
さて、本発明に係る固定ヨーク１には、前記がいし取付片４のがいし装置と反対側の端部から前記本体の水平部の下辺まで延び、前記本体と直交する方向の両側に突出する垂直壁５が一体に形成されている。
そして、本体１ａの垂直部１ａ1 には、そのがいし装置側の端辺に本体１ａと直交する方向の両側に突出し、かつ、がいし取付片４の前記がいし装置側の端部から垂直部１ａ1 の先端のクレビス部２まで連続するリブ６が一体に形成され、さらに、本体の水平部１ａ2 には、その下端辺に本体１ａと直交する方向の両側に突出し、かつ、垂直壁５の下端から水平部１ａ2 の先端のクレビス部３まで連続するリブ７が一体に形成されている。
本体１ａの垂直部１ａ1 における横断面形状及び水平部１ａ2 における横断面形状は、それぞれ、図３（ａ），（ｂ）に示されるように、Ｔ字状（図示では逆Ｔ字状）とされている。すなわち、従来の固定ヨークは、上記図４（ｃ）に示されるように、本体の断面形状がＩ字状ないしＨ字状であるが、本発明では、本体の断面形状が従来よりも簡素化されている。
【００１５】
こうして、垂直部１ａ1 と水平部１ａ2 の交差部１ａ3 のすぐ上側においては、がいし取付片４と垂直部１ａ1 とで、そのがいし取付片４を通る垂直面における固定ヨークの縦断面形状が十字形であるとともに、垂直壁５の高さ方向中間位置における固定ヨークの横断面形状もほぼ十字形とされている。さらに、本体１ａの垂直部１ａ1 のがいし装置側端辺に本体１ａと直交する方向の両側に突出し、かつ、がいし取付片４の前記がいし装置側の端部から垂直部１ａ1 の先端のクレビス部２まで連続するリブ６が、水平部１ａ2 の下端辺に本体１ａと直交する方向の両側に突出し、かつ、垂直壁５の下端から水平部１ａ2 の先端のクレビス部３まで連続するリブ７が、それぞれ一体に形成されている。
【００１６】
従って、本体１ａは、上下のクレビス部２，３及びがいし取付片４を介して送電線及びがいし装置から加わる互いに反対方向の力に耐え得る十分な強度を備えている。また、垂直部１ａ1 のリブ６はその垂直部のがいし装置側の端辺のみに、水平部１ａ2 のリブ７はその水平部の下辺のみに設けられて、横断面形状がＴ字形に簡素化されているので、簡素化された分だけ軽量化することができ、また、簡素化された分だけ鋳型も簡素化できるので、製造コストを低下させることができる。
【００１７】
なお、上述の例では、がいし装置は、２連で示されているが、１連又は３連以上であってもよい。
【００１８】
【発明の効果】
本発明は、側面形状が略Ｌ字状の本体と、その本体の垂直部の先端に形成されたクレビス部と、前記本体の水平部の先端に形成されたクレビス部と、前記本体の垂直部と水平部との交差部においてその本体と直交する方向の両側に延出するように形成された板状のがいし取付片とを一体に有して、送電線鉄塔にがいし装置を用いて送電線を張設するために用いられる４導体用固定ヨークにおいて、（ａ）前記本体の垂直部と水平部との交差部に前記がいし取付片の前記がいし装置と反対側の端部から前記本体の水平部の下辺まで延び、前記本体と直交する方向の両側に突出する垂直壁を設けるとともに、（ｂ）前記本体の垂直部の前記がいし装置側の端辺にその本体と直交する方向の両側に突出し、かつ、前記がいし取付片の前記がいし装置側の端部から前記垂直部の先端のクレビス部まで連続するリブと、前記本体の水平部の下端辺にその本体と直交する方向の両側に突出し、かつ、前記垂直壁の下端から前記水平部の先端のクレビス部まで連続するリブとを一体に形成したので、（あ）がいし装置と送電線から固定ヨークに加わる互いに反対方向の力に耐え得る十分な強度を備えるばかりでなく、（い）構造が簡素化されて、軽量化され、高所作業に適したものとなるとともに、（う）製造コストの低減が可能な固定ヨークを提供することができる。
【図面の簡単な説明】
【図１】  （ａ）は、本発明の一実施の形態に係る固定ヨークで送電線を張設したときのその側面から見たときの正面図、（ｂ）は、その平面図である。
【図２】  図１（ａ）の左側面図である。
【図３】  （ａ）は、図１（ａ）のＳ1 −Ｓ1 線断面図、（ｂ）は、図１（ａ）のＳ2 −Ｓ2 線断面図である。
【図４】  （ａ）は、従来の固定ヨークで送電線を張設したときのその側面から見たときの正面図、（ｂ）は、その平面図、（ｃ）は、同図（ａ）のＳ−Ｓ線断面図である。
【符号の説明】
１      ４導体用固定ヨーク（固定ヨーク）
１ａ    本体
１ａ1  垂直部
１ａ2  水平部
２，３  クレビス部
４      がいし取付片
４ａ，４ｂ  取付孔
５      垂直壁
６，７  リブ
【図１】
0004266470.tif 000002
【図２】
0004266470.tif 000003
【図３】
0004266470.tif 000004
【図４】
0004266470.tif 000005